(57)【要約】【課題】新たな発想に基づき、ＬＥＤ光源を用いて、比較的薄い形状の導光板に均一で且つ効率よく面発光させることができる光源ユニットを提供する。【解決手段】薄肉部１２ｂの下面１２ｆに遮光部材１３が設けられているので、ＬＥＤ光源１１から出射した光は、薄肉部１２ｂから入射することなく、厚肉部１２ａの入射面１２ｇから入射する。従って、ＬＥＤ光源１１の近傍のみが明るくなることはない。【選択図】図３
2012069324.tif 000002
【特許請求の範囲】
【請求項１】
ＬＥＤ光源と、導光板とを有する光源ユニットにおいて、
前記導光板は、前記ＬＥＤ光源の近傍に設けられた薄肉部と、前記薄肉部より肉厚が厚い厚肉部とを有し、前記薄肉部と前記厚肉部の表面にわたって前記ＬＥＤ光源からの光を出射する出射面が形成され、前記導光板の厚肉部および薄肉部には、前記出射面に対向して反射面が形成され、また段差のある前記薄肉部の反射面と前記厚肉部の反射面とを連結する側面に、前記ＬＥＤ光源からの光を入射するための入射面が形成されており、
前記ＬＥＤ光源の出射面は、前記入射面と対向しており、
前記ＬＥＤ光源と前記薄肉部との間には光の透過を阻止する遮光部材が配置され、
前記ＬＥＤ光源から出射した光の一部は、前記入射面から入射した後、少なくとも前記薄肉部内で反射して、前記出射面から出射することを特徴とする光源ユニット。
【請求項２】
一対の前記薄肉部が、前記厚肉部を挟んで設けられており、前記ＬＥＤ光源は、前記一対の薄肉部の裏面に対してそれぞれ交差する方向に延在する前記厚肉部の一対の側面に対向して、一対設けられていることを特徴とする請求項１に記載の光源ユニット。
【請求項３】
前記反射面に対向して、反射部材が形成されており、前記反射面の前記ＬＥＤ光源側の端部には、光吸収部材が設けられていることを特徴とする請求項１又は２に記載の光源ユニット。
【請求項４】
前記反射面に対向して、反射部材が形成されており、前記反射面の前記ＬＥＤ光源側の端部と、前記反射部材との間には、光の進入を抑制する部材が設けられていることを特徴とする請求項１又は２に記載の光源ユニット。
【請求項５】
前記ＬＥＤ光源の入射面側を除いて前記ＬＥＤ光源を囲うケースが設けられ、前記遮光部材と前記光の進入を抑制する部材は、前記ケースの一部であることを特徴とする請求項４に記載の光源ユニット。
【請求項６】
前記出射面側から見たときに、前記ＬＥＤ光源は複数個並べて配置されており、前記ＬＥＤ光源の光軸間距離をＬ１とし、前記ＬＥＤ光源から前記入射面側の前記遮光部材の端部までの距離をＬ２としたときに、以下の式を満たすことを特徴とする請求項１〜５のいずれかに記載の光源ユニット。
Ｌ１＜Ｌ２      （１）
【請求項７】
前記遮光部材の端部は、前記厚肉部内に進入していることを特徴とする請求項１〜５のいずれかに記載の光源ユニット。
【請求項８】
前記出射面は拡散部を形成していることを特徴とする請求項１〜７のいずれかに記載の光源ユニット。
【請求項９】
前記出射面に対向して、拡散部材を配置したことを特徴とする請求項１〜８のいずれかに記載の光源ユニット。
【請求項１０】
前記ＬＥＤ光源から出射した光が前記入射面に入射した後、最も強度が強い光が、反射することなく直接前記薄肉部内に進入するように、前記入射面に対して前記ＬＥＤ光源が傾いていることを特徴とする請求項１〜９のいずれかに記載の光源ユニット。
【請求項１１】
複数の前記光源ユニットにおける前記薄肉部同士を近接させて並設したことを特徴とする請求項１〜１０のいずれかに記載の光源ユニット。
【発明の詳細な説明】
【技術分野】
【０００１】
本発明は、光源ユニットに関し、特に、光源からの光を入射して均一な照明を行える光源ユニットに関する。
【背景技術】
【０００２】
液晶バックライト、一般照明用等の面発光照明装置において、発光面の大型化と照明装置全体の小型化を両立させたいという要求が高まっている。ここで、大面積で面発光させる照明装置において、全面において極力均一に発光させたいという要求がある。しかるに、発光面内に点光源を多数配置すれば、全面で均一な発光を確保できるが、光源への配線が複雑となりコスト高を招く。これに対し、冷陰極管を光源として用いた照明装置として、特許文献１のような構成が提案されている。
【０００３】
より具体的に特許文献１の技術を説明すると、冷陰極管（光源素子）が、導光板の縁部などの裏面側を切欠く形状で形成された肉薄部である光源素子収容部内に配置される。ケーシングの内面にはほぼ全面にわたって光反射性シートが貼着される。光源素子収容部の壁面の内、導光板の肉薄側部分に、例えば、白色反射用ＰＥＴフィルムに直径約０．２ｍｍの透孔を多数形成し、開口率を約１２％とした光量調整フィルタ手段が、輝光面の縁部と他の部分との間の輝度むらと色むらを抑制する為に配置される。光量調整フィルタ手段で反射された光の相当部分は、側端面から遠い肉薄側部分から導光板に入り、有効利用される。つまり、光量調整フィルタの光透過率を調整することで、冷陰極管の近傍位置と、離間した位置での光量差を近づけることができ、これにより全面で均一な発光を確保できる。
【先行技術文献】
【特許文献】
【０００４】
【特許文献１】特開平０９−５７４２号公報
【発明の概要】
【発明が解決しようとする課題】
【０００５】
ところで、特許文献１の照明装置において、更なる小型化、省エネ化、低コスト化を図るには、冷陰極管をＬＥＤ光源へ置換することが考えられる。ところが、放射状に光を投射する冷陰極管と異なり、ＬＥＤ光源は、発光面側でのみ発光し、加えて発光面に対して直交する方向では光強度が高いものの、それに対して傾き角が増大するに連れて光量が低下するという配光特性を有する。従って、特許文献１に示す照明装置において、冷陰極管をＬＥＤ光源に置換した場合、ＬＥＤ光源の発光面を導光板の出射面と平行にすると、発光面から出射した光が光量調整フィルタ手段により減光され、光量ロスが増えると共に、ＬＥＤ光源の近傍だけはぼんやり明るくなるが、ＬＥＤ光源から離れた導光板の中央付近には十分な出射光が到達せず暗くなるというように輝度むらが発生し、均一な面発光を行えないという問題がある。一方、ＬＥＤ光源の発光面を、導光板の出射面と直交させて導光板の中央に向けた場合、導光板の中央付近は明るくなるが、ＬＥＤ光源の近傍は、光量調整フィルタ手段により減光されることとも相まって十分な出射光が到達せず暗くなり、上述とは逆の輝度むらが発生し、均一な面発光を行えないという問題がある。また、外部から見えにくいように、配線の取り回しを行うことが困難である。
【０００６】
本発明は、かかる従来技術の問題点に鑑みてなされたものであり、新たな発想に基づき、ＬＥＤ光源を用いて、比較的薄い形状の導光板に均一で且つ効率よく面発光させることができる光源ユニットを提供することを目的とする。
【課題を解決するための手段】
【０００７】
請求項１に記載の光源ユニットは、ＬＥＤ光源と、導光板とを有する光源ユニットにおいて、
前記導光板は、前記ＬＥＤ光源の近傍に設けられた薄肉部と、前記薄肉部より肉厚が厚い厚肉部とを有し、前記薄肉部と前記厚肉部の表面にわたって前記ＬＥＤ光源からの光を出射する出射面が形成され、前記導光板の厚肉部および薄肉部には、前記出射面に対向して反射面が形成され、また段差のある前記薄肉部の反射面と前記厚肉部の反射面とを連結する側面に、前記ＬＥＤ光源からの光を入射するための入射面が形成されており、
前記ＬＥＤ光源の出射面は、前記入射面と対向しており、
前記ＬＥＤ光源と前記薄肉部との間には光の透過を阻止する遮光部材が配置され、
前記ＬＥＤ光源から出射した光の一部は、前記入射面から入射した後、少なくとも前記薄肉部内で反射して、前記出射面から出射することを特徴とする。
【０００８】
本発明によれば、前記遮光部材が、前記ＬＥＤ光源と前記薄肉部との間に配置され、前記ＬＥＤ光源から出射した光が直接出射面から出射しないので、前記ＬＥＤ光源の近傍のみが明るくなることを抑制できる。一方、前記ＬＥＤ光源から出射した光の一部は、前記入射面から入射した後、少なくとも前記薄肉部内で反射して、前記出射面から出射するので、前記ＬＥＤ光源が前記遮光部材によって遮光された状態でも、前記薄肉部内の前記遮光部材近傍で反射光を生じさせることにより、あたかも遮光部材が存在しないかのように、かかる近傍付近の輝度を増大できる。これにより輝度むらを抑制し、均一な面発光を行うことができる。
【０００９】
請求項２に記載の光源ユニットは、請求項１に記載の発明において、一対の前記薄肉部が、前記厚肉部を挟んで設けられており、前記ＬＥＤ光源は、前記一対の薄肉部の裏面に対してそれぞれ交差する方向に延在する前記厚肉部の一対の側面に対向して、一対設けられていることを特徴とする。これにより、照明光に、より高い光強度を与えることができる。
【００１０】
請求項３に記載の光源ユニットは、請求項１又は２に記載の発明において、前記反射面に対向して、反射部材が形成されており、前記反射面の前記ＬＥＤ光源側の端部には、光吸収部材が設けられていることを特徴とする。これにより迷光による輝度むらを抑制できる。
【００１１】
請求項４に記載の光源ユニットは、請求項１又は２に記載の発明において、前記反射面に対向して、反射部材が形成されており、前記反射面の前記ＬＥＤ光源側の端部と、前記反射部材との間には、光の進入を抑制する部材が設けられていることを特徴とする。これにより迷光による輝度むらを抑制できる。
【００１２】
請求項５に記載の光源ユニットは、請求項４に記載の発明において、前記ＬＥＤ光源の入射面側を除いて前記ＬＥＤ光源を囲うケースが設けられ、前記遮光部材と前記光の進入を抑制する部材は、前記ケースの一部であることを特徴とする。これにより迷光による輝度むらを抑制できると共に、光量ロスを防げる。
【００１３】
請求項６に記載の光源ユニットは、請求項１〜５のいずれかに記載の発明において、前記出射面側から見たときに、前記ＬＥＤ光源は複数個並べて配置されており、前記ＬＥＤ光源の光軸間距離をＬ１とし、前記ＬＥＤ光源から前記入射面側の前記遮光部材の端部までの距離をＬ２としたときに、以下の式を満たすことを特徴とする。これによりＬＥＤ光源間の輝度むらを抑制できる。
Ｌ１＜Ｌ２      （１）
【００１４】
請求項７に記載の光源ユニットは、請求項１〜５のいずれかに記載の発明において、前記遮光部材の端部は、前記厚肉部内に進入していることを特徴とする。これによりＬＥＤ光源間の輝度むらを抑制できる。
【００１５】
請求項８に記載の光源ユニットは、請求項１〜７のいずれかに記載の発明において、前記出射面は拡散部を形成していることを特徴とする。これにより更に輝度むらを抑制できる。
【００１６】
請求項９に記載の光源ユニットは、請求項１〜８のいずれかに記載の発明において、前記出射面に対向して、拡散部材を配置したことを特徴とする。これにより更に輝度むらを抑制できる。
【００１７】
請求項１０に記載の光源ユニットは、請求項１〜９のいずれかに記載の発明において、前記ＬＥＤ光源から出射した光が前記入射面に入射した後、最も強度が強い光が、反射することなく直接前記薄肉部内に進入するように、前記入射面に対して前記ＬＥＤ光源が傾いていることを特徴とする。これにより前記薄肉部の出射面から出射する光の強度を高めることができる。
【００１８】
請求項１１に記載の光源ユニットは、請求項１〜１０のいずれかに記載の発明において、複数の前記光源ユニットにおける前記薄肉部同士を近接させて並設したことを特徴とする。これにより前記光源ユニット同士の間をあけることなく壁面に緊密に配置できる。
【００１９】
導光板の素材としては、プラスチック、ガラス、シリコン系樹脂、ウレタン系樹脂、オレフィン系樹脂、ゲルを用いることができる。出射面には、光取り出し用に拡散材をドット状に印刷すると良いが、突起部でも良い。
【発明の効果】
【００２０】
本発明によれば、新たな発想に基づき、ＬＥＤ光源を用いて、比較的薄い形状の導光板に均一で且つ効率よく面発光させることができる光源ユニットを提供することができる。
【図面の簡単な説明】
【００２１】
【図１】本実施の形態にかかる光源ユニット１０を屋内の壁面に配置した状態を示す図である。
【図２】光源ユニット１０を背面側から見た斜視図である。
【図３】図２の光源ユニット１０をIII-III線で矢印方向に切断した断面図である。
【図４】第１の参考例を示す図３と同様な断面図である。
【図５】第２の課題を解決する変形例の断面図である。
【図６】第２の課題を解決する別な変形例の断面図である。
【図７】第２の課題を解決する別案変形例の断面図である。
【図８】第２の参考例を示す図である。
【図９】第３の課題を解決する変形例の出射面側から見た図である。
【図１０】第３の課題を解決する変形例の断面図である。
【図１１】第３の課題を解決する別な変形例の断面図である。
【図１２】別な変形例の断面図である。
【図１３】別な変形例の断面図である。
【発明を実施するための形態】
【００２２】
以下、図面を参照して、本発明の実施の形態をさらに詳細に説明する。図１は、本実施の形態にかかる光源ユニット１０を屋内の壁面に配置した状態を示す図である。光源ユニット１０は矩形板状であって、隣接する光源ユニット１０に対して殆ど隙間なく壁面に敷き詰められている。光源ユニット１０は、ＬＥＤ光源及び配線を内蔵しているにもかかわらず、後述するように全面発光が可能であるので、隙間なく壁面に敷き詰めることが出来、インテリアデザイン上も優れている。
【００２３】
図２は、光源ユニット１０を背面側から見た斜視図である。図３は、図２の光源ユニット１０をIII-III線で矢印方向に切断した断面図である。図２，３において、ＬＥＤ光源の基板等を省略している。又、図３においては、空気層の厚みを誇張して示している。
【００２４】
光源ユニット１０は、ＬＥＤ光源１１，導光板１２，遮光部材１３，拡散部材１４，下面反射部材１５、側面反射部材１６からなる。光を透過する素材からなる矩形板状の導光板１２は、厚肉部１２ａと、厚肉部１２ａの両側に形成された一対の薄肉部１２ｂ、１２ｂとから一体的に形成されている。図２において、厚肉部１２ａと薄肉部１２ｂの上面（表面）は同一面であり、これが出射面１２ｃを形成している。出射面１２ｃには、例えば微細なドット状の拡散材１２ｄがプリントなどにより付着されているが、微細な凹凸構造でも良い。拡散材１２ｄは、導光板１２内を通過する光が当たると、一部が拡散して出射面１２ｃからの出射を促す機能を有する。出射面１２ｃの外方には、板状の拡散部材１４が配置されている。拡散部材１４は、例えば磨りガラス状であり、通過する光を拡散する機能を有する。
【００２５】
薄肉部１２ｂの下面（裏面）１２ｆには、薄い空気層を隔てて薄板状の遮光部材１３が配置されている。遮光部材１３は、光を透過しない素材からなるが、白色板材でも良いし、ミラーでも良い。更に、遮光部材１３の下方には、不図示の基板に保持されたＬＥＤ光源１１が、その発光面を、薄肉部１２ｂの裏面とで段差が生じた厚肉部１２ａの側面すなわち入射面１２ｇに対向させて配置されている。本実施の形態では、ＬＥＤ光源１１の発光面、及び導光板１２の入射面１２ｇは、出射面１２ｃに対して直交させている。尚、薄肉部１２ｂと厚肉部１２ａとの段差により生じた、薄肉部１２ｂの裏面側の空間には、ＬＥＤ光源１２ａの他、不図示の基板や配線等を配置でき、これらは出射面１２ｃ側から見えないようになっている。
【００２６】
出射面１２ｃと平行である厚肉部１２ａの下面（裏面即ち反射面）１２ｈには、薄い空気層を隔てて薄板状の下面反射部材１５が接着されている。不図示の壁面に固定できる下面反射部材１５は、少なくとも厚肉部１２ａの下面１２ｈ全体を覆っており、好ましくは下面１２ｈから延長されて、ＬＥＤ光源１１の背面側まで延在している。これにより、ＬＥＤ光源１１から出射した光を、有効に入射面１２ｇから入射できる。薄肉部１２ｂの側面には、側面反射部材１６が接着されている。
【００２７】
次に、課題を示す参考例を参照して、本実施の形態の光源ユニット１０の作用について説明する。図４は、第１の参考例を示す図３と同様な断面図である。図４の参考例では、導光板１２に遮光部材１３を設けていない例である。図４において、ＬＥＤ光源１１から出射した光は、矢印Ａで示すように薄肉部１２ｂの側面から入射した場合、入射後に屈折し、更に出射面１２ｃに対して深い入射角で入射するので、全反射条件が成立せず、そのまま出射することとなる。これによりＬＥＤ光源１１近傍の輝度が高まり、輝度むらが生じることとなる。
【００２８】
これに対し、図３に示す本実施の形態によれば、薄肉部１２ｂの下面１２ｆに遮光部材１３が設けられているので、ＬＥＤ光源１１から出射した光は、薄肉部１２ｂから入射することなく、厚肉部１２ａの入射面１２ｇから入射する。従って、ＬＥＤ光源１１の近傍のみが明るくなることはない。
【００２９】
導光板１２内に入射した光は、一例として矢印で示すように、厚肉部１２ａの下面１２ｈで全反射し（一部が透過しても、下面反射部材１５により反射されて導光板１２内に戻される）、更に厚肉部１２ａの出射面１２ｃで全反射し（一部は拡散材１２ｄで拡散されて出射面１２ｃから出射する）、これを繰り返して、対向する側の薄肉部１２ｂに入射する。この入射光は、薄肉部１２ｂの出射面１２ｃで全反射し（一部は拡散材１２ｄで拡散されて出射面１２ｃから出射する）、更に薄肉部１２ｂの下面１２ｆで全反射し（一部が透過しても、遮光部材１３により反射されて薄肉部１２ｂ内に戻される）、側面反射部材１６で反射して進行方向を変え、同様に反射と一部出射面１２ｃからの出射を繰り返しながら厚肉部１２ａ内に進入し、最初に出射したＬＥＤ光源１１側の薄肉部１２ｂに入射する。この入射光は、薄肉部１２ｂの出射面１２ｃで全反射し（一部は拡散材１２ｄで拡散されて出射面１２ｃから出射する）、更に薄肉部１２ｂの下面１２ｆで全反射し（一部が透過しても、遮光部材１３により反射されて薄肉部１２ｂ内に戻される）、側面反射部材１６で反射して進行方向を変え、同様に反射と一部出射面１２ｃからの出射を繰り返しながら厚肉部１２ａ内に進入する。以上を、入射光が出射しつくすまで繰り返すこととなる。出射面１２ｃから出射した光は拡散部材１４にて拡散され、より均一な光となるので屋内照明に好適である。
【００３０】
本発明によれば、ＬＥＤ光源１１から導光板１２内に入射した光は、薄肉部１２ｂで反射を繰り返しながら出射するので、薄肉部１２ｂとＬＥＤ光源１１との間に遮光部材１３が設けられていても、あたかも遮光部材１３が存在しないかのように、薄肉部１２ｂの表面を含む出射面１２ｃから均一な光を出射することができる。
【００３１】
次に、図４を参照し、第２の課題について説明する。ＬＥＤ光源１１から出射した光を無駄なく利用し、出射面側に光を出射させることで、導光板１２の中央部の光量を増加させることが出来る。そのためには、厚肉部１２ａの下面に鏡面などの反射部材を配置することが有効である。導光板１２の出射面１２ｃと下面１２ｈが空気層で囲まれている場合、臨界角内の光は出射面１２ｃと下面１２ｈの間で全反射を繰り返し、光量ロスなく導光する。しかし、下面１２ｈと鏡面などの反射部材が空気層なく密着した場合、本来下面１２ｈで全反射する光線が反射部材に入射すると、反射部材での吸収により光量ロスが起こる。そのため、導光板１２と反射部材の間には空気層があることが望ましい。このような構成では、ＬＥＤ光源１１から出射した光の一部は、矢印Ｂで示すように、厚肉部１２ａの下面１２ｈと下面反射部材１５との間の隙間から進入する恐れがあるが、進入した光は下面反射部材１５で反射され、厚肉部１２ａ内に入射後に屈折し、更に出射面１２ｃに対して深い入射角で入射するので、全反射条件が成立せず、そのまま出射することとなる。これによりライン状に高輝度の部位が現れ、輝度むらが生じることとなる。
【００３２】
図５に示す変形例は、第２の課題を解決できるものである。尚、特に断りがない限り、図示していなくても、以下の変形例は図３に示す構成と同様であるものとする。図５に示す変形例では、厚肉部１２ａの下面１２ｈの端部に、光吸収部材１２ｉを設けている。光吸収部材１２ｉとしては、例えばカメラの鏡筒などの内側に適用されるごとき、光を吸収する性質のある黒色塗料などを塗布することで形成できるし、或いは別部材を貼り付けても良い。
【００３３】
ＬＥＤ光源１１から出射し、厚肉部１２ａの下面１２ｈと下面反射部材１５との間の隙間から進入した光は、下面反射部材１５で反射された後、光吸収部材１２ｉで吸収されるため、厚肉部１２ａ内に入射せず、従って輝度むらを回避できる。
【００３４】
図６に示す変形例は、第２の課題を解決できるものである。図６に示す変形例では、厚肉部１２ａの下面１２ｈと下面反射部材１５との端部間の隙間を、光の進入を抑制する部材１２ｊで塞いでいる。
【００３５】
ＬＥＤ光源１１から出射した光は、光の進入を抑制する部材１２ｊにより、厚肉部１２ａの下面１２ｈと下面反射部材１５との端部間の隙間に進入することが阻止されるので、輝度むらを回避できる。
【００３６】
図７に示す変形例は、第２の課題を解決できるものである。図７に示す変形例では、ＬＥＤ光源１１の入射面側を除いてＬＥＤ光源１１を囲うケース１２ｋが設けられている。ケース１２ｋの下壁１２ｍは厚くなっており、丁度厚肉部１２ａの下面１２ｈと下面反射部材１５との端部間の隙間を塞いでいる。即ち、ケース１２ｋの上壁が、遮光部材１３に相当し、下壁１２ｍが、光の進入を抑制する部材に相当する。
【００３７】
ＬＥＤ光源１１から出射した光は、ケース１２ｋにより案内されて、入射面１２ｇに効率よく導かれるようになっている。又、ケース１２ｋの下壁１２ｍにより、厚肉部１２ａの下面１２ｈと下面反射部材１５との間の隙間に進入することが阻止されるので、輝度むらを回避できる。
【００３８】
次に、第３の課題を示す参考例を参照して、本実施の形態の別な変形例について説明する。図８は、第２の参考例を示す図であり、光源ユニットを出射面側から見た図である。図８の参考例において、ＬＥＤ光源１１は、同じ方向に発光面を向けた状態で一列に間欠的に配置されている。ＬＥＤ光源１１から出射される光は、図８の矢印に示すように扇状に広がるため、個々のＬＥＤ光源１１の前面側の三角形ゾーンΔＢは比較的明るくなるが、隣接するＬＥＤ光源１１の間の三角形ゾーンΔＤは比較的暗くなり、これにより周期的な明暗パターンによる輝度むらが生じる恐れがある。
【００３９】
図９、１０に示す変形例は、第３の課題を解決できるものである。図９、１０に示す変形例では、ＬＥＤ光源１１の光軸間距離をＬ１とし、ＬＥＤ光源１１から入射面１２ｇ側の遮光部材１３の端部までの距離をＬ２としたときに、以下の式を満たす。
Ｌ１＜Ｌ２      （１）
【００４０】
これにより、図８に示す比較的暗い三角形ゾーンΔＤが遮光部材１３で覆われることとなり、ＬＥＤ光源１１から導光板１２内に入射した光は、薄肉部１２ｂで反射を繰り返しながら出射するので、比較的暗い三角形ゾーンΔＤをなくすことができる。
【００４１】
更に変形例として、図１１に示すように、遮光部材１３の端部を、厚肉部１２ａに形成したスリット１２ｎに差し込むようにして、内部にめり込ませることもできる。かかる場合にも、（１）式を満たすことが好ましい。
【００４２】
尚、ＬＥＤ光源１１の発光面は、導光板１２の出射面１２ｃに対して必ずしも直交させる必要はない。例えば、図１２に示すように、ＬＥＤ光源１１から出射した光が入射面１２ｇに入射した後、最も強度が強い光が、反射することなく直接、対向する薄肉部１２ｂ内に進入するように、入射面１２ｇに対して（即ち出射面１２ｃに対して９０度以外となるように）ＬＥＤ光源１１を傾けることもできる。
【００４３】
更に、図１３に示す変形例では、出射面１２ｃを両面としており、両側から照明光を発光できる。ＬＥＤ光源１１を挟むようにして薄肉部１２ｂが形成され、ＬＥＤ光源１１と薄肉部１２ｂとの間には、遮光部材１３がそれぞれ配置されている。厚肉部１２ａは共通である。出射面は、それぞれ反対側の反射面となる。かかる例では、下面反射部材は不要である。それ以外の構成は、上述した実施の形態と同様である。
【００４４】
以上、本発明を実施の形態を参照して説明してきたが、本発明は上記実施の形態に限定して解釈されるべきではなく、適宜変更・改良が可能であることはもちろんである。例えば、対向するＬＥＤ光源１１は、光軸をずらせた状態で（千鳥状）配置することが望ましい（図８参照）。又、導光板１２の四辺に薄肉部１２ｂを形成して、その裏側にＬＥＤ光源１１と遮光部材１３を配置しても良い。この場合、導光板１２の四辺の薄肉部１２ｂの裏側全てにＬＥＤ光源１１と遮光部材１３を設けることで光量を増加させることができる。なお、四辺全てにＬＥＤ光源１１と遮光部材１３を設けずに対向する二辺の薄肉部１２ｂにのみＬＥＤ光源１１と遮光部材１３を設けるようにしても良い。
【符号の説明】
【００４５】
１０ 光源ユニット
１１ ＬＥＤ光源
１２ 導光板
１２ａ 厚肉部
１２ｂ 薄肉部
１２ｃ 出射面
１２ｄ 拡散材
１２ｆ 下面
１２ｇ 入射面
１２ｈ 下面
１２ｉ 光吸収部材
１２ｊ 光の進入を抑制する部材
１２ｋ ケース
１２ｍ 下壁
１３ 遮光部材
１４ 拡散部材
１５ 下面反射部材
１６ 側面反射部材
【図１】
2012069324.tif 000003
【図２】
2012069324.tif 000004
【図３】
2012069324.tif 000005
【図４】
2012069324.tif 000006
【図５】
2012069324.tif 000007
【図６】
2012069324.tif 000008
【図７】
2012069324.tif 000009
【図８】
2012069324.tif 000010
【図９】
2012069324.tif 000011
【図１０】
2012069324.tif 000012
【図１１】
2012069324.tif 000013
【図１２】
2012069324.tif 000014
【図１３】
2012069324.tif 000015